【手続補正書】
【提出日】平成19年10月25日(2007.10.25)
【手続補正１】
【補正対象書類名】明細書
【補正対象項目名】全文
【補正方法】変更
【補正の内容】
【書類名】  明細書
【発明の名称】  映像装置の冷却部の構造
【特許請求の範囲】  
【請求項１】  所定の映像装置用外装ケース内の冷却通風ダクトを構成する様に、複数の板状部材が間隙をあけて機能的に組み合わされて通風路に沿って配置され、通風路を区画形成し、
前記冷却通風ダクトにファンによって送風し、風流が前記通風路を通して該その部分に含まれた部品を冷却することを特徴とする映像装置の冷却部の構造。
【請求項２】  外装ケース内の側面に設けられた給排気ファンにより風流が該外装ケース内に取り込まれると共に、前記板状部材の間隙に形成された通風路を通して流れ、該板状部材を冷却して外装ケース外に排出されることを特徴とする請求項１記載の映像装置の冷却部の構造。
【請求項３】  冷却構造を構成する外装ケースと、
前記外装ケース内に、間隙を有し通風可能に開口した出入口及び通風路を形成する様に設けられた中間筐体と、
前記中間筐体内には、通風路が形成される様に間隙をあけて配置された板状部材と、
前記外装ケース内に設けられ、該外装ケース内に冷却風流を吸入し、排出する吸気ファン、排気ファンと、
を有し、
前記吸気ファンの駆動により、前記外装ケース内に吸気風流を前記中間筐体内外の通風路及び通風路に吸入し、その通風流より該中間筐体内の板状部材及び、その筐体外部を冷却すると共に、
前記排気ファンの駆動により、前記中間筐体内の板状部材及び、その筐体外部が冷却された通風流を略合流させて排出することを特徴とする映像装置の冷却部の構造。
【請求項４】  前記外装ケース内、中間筐体内には、発熱密度が高い素子、部品を有する場合に、気流を生じさせるための別個にファンが設けられていることを特徴とする請求項３記載の映像装置の冷却部の構造。
【請求項５】  前記外装ケース内には、冷却風流を吸入するための吸入口及び冷却された風流を排出するための排気口を有し、
前記中間筐体内には、板状部品を冷却するための冷却風流を取り込む開口である入口、及び冷却された風流を排出するための出口を有することを特徴とする請求項３または４記載の映像装置の冷却部の構造。
【発明の詳細な説明】
【０００１】
【産業上の利用分野】
この発明はプロジェクター装置の冷却機構に関するものである。
【０００２】
【従来の技術】
現在市販されているプロジェクター装置としては液晶プロジェクターとＤＬＰ（デジタル・ライト・プロセッシング）プロジェクターが典型的なものであるが、いずれも大出力の光源を必要とするなど、発熱を伴う部品があるので、冷却が必要である。しかるに、この冷却においては、冷却熱量を大きくして冷却を効率よく行うことと、通風音を低下させた静音設計にすることとを両立させることが必要である。この冷却について、従来は特開平１１−３５４９６３号に示すものや特開平５−５３２００号に示されたものが開発されていて、シロッコファンを用いてダクトや導風管に通風して被冷却体を冷却している。例えば特開平５−５３２００号に記載された冷却機構１０１は図３に示すように、シロッコファン１０２によって駆動された通風１０３をダクト１０４を通してランプ１０５から受熱した被冷却体であるライトバルブ１０６Ｒ、１０６Ｇ、１０６Ｂに導いて冷却している。また特開平１１−３５４９６３号に示した冷却機構でも専用の冷却ダクト部材を使用して構成した冷却ダクト（図示せず）を使用している。しかしこれら従来の技術では、図３に示すように、通風ファンとしてシロッコファンを使用しており、シロッコファンは高静圧を発生させることができるが風量が小さくかつ高価である。またこれら従来の技術では専用のダクトや導風管を用いているために、それらを設置するための大きな空間が必要となり、映像機器を大型化し、構造が複雑になるといった問題点があった。
【０００３】
この発明は上記の如き事情に鑑みてなされたものであって、映像機器を大型化させることなしに、構造が簡単で静音設計と効率的冷却を安価に実現させることができる冷却構造をもつ映像装置を提供することを目的とするものである。
【０００４】
【構成】
この目的に対応して、この発明の映像装置の冷却部の構造は、所定の映像装置用外装ケース内の冷却通風ダクトを構成する様に、複数の板状部材が間隙をあけて機能的に組み合わされて通風路に沿って配置され、通風路を区画形成し、前記冷却通風ダクトにファンによって送風し、風流が前記通風路を通して該その部分に含まれた部品を冷却することを特徴としている。
【０００５】
【実施例】
以下、この発明の詳細を一実施例を示す図面について説明する。
図１において、１は液晶方式の映像装置である。映像装置１は画像投射装置２を備えている。画像投射装置２は放物面反射鏡９を有するランプ４を備え、ランプ４から出た照明光５はレンズ６、レンズ７、偏光変換素子８、第１レンズアレイ１１を通り、ミラー１２で反射し、第２レンズアレイ１３を通ってダイクロイックミラー１４に達する。ダイクロイックミラー１４で透過する赤（Ｒ）色光１５と反射する緑（Ｇ）及び青（Ｂ）色光１６とに色分解し、赤（Ｒ）色光１５はミラー１７で反射されて赤色系液晶パネル１８に入射して映像信号に基づく変調を受ける。緑（Ｇ）及び青（Ｂ）色光１６はダイクロイックミラー２１に入射して反射側の緑（Ｇ）色光２２と透過側の青（Ｂ）色光２３とに色分解し、緑（Ｇ）色光２２は緑色系液晶パネル２４に入射して映像信号に基づいて変調を受け、青（Ｂ）色光２３はミラー２５、ミラー２６で反射されて青色系液晶パネル２７に入射して映像信号に基づいて変調を受ける。それぞれの液晶パネル１８、２４、２７で変調を受けて出力したＲ透過光２８、Ｇ透過光３１およびＢ透過光３２はクロスダイクロイックプリズム３３で合成され、その出射光３４が投射レンズ３５を通して図示しないスクリーンに投射されて映像を形成する。
【０００６】
この他、プロジェクター装置１は付属的な機器として、ランプ点灯用バラスト８１、インレット８２、駆動用制御回路ユニット８３、各種コネクターユニット８４、電源ユニット８５を備えている。
【０００７】
さらに、以上の機器を冷却するための冷却用機器として側面吸気ファン７１、排気ファン７２、ルーバー７３を備えており、側面吸気風流７１ａが側面吸気ファン７１によって外装ケース１０内に吸入され、外装ケース１０内部の風流７１ｂ、７１ｃとして流れて機器を冷却し、両風流７１ｃ、７１ｂは外装ケース内部の風流７２ｂに合流して排気ファン７２により排気風流７２ａとして外装ケース１０外に排出される。
【０００８】
映像装置１は冷却構造５１を有する。冷却構造５１は図２に縦断面図で示すように、外装ケース１０の内部に配置された中間筐体５２を有する。中間筐体５２は半密封構造で、入口５３及び出口５４が開口して形成されている。外装ケース１０と中間筐体５２との間には間隙５５があって、この間隙５５が通風可能な通風路５６を構成している。入口５３の内側には軸流ファンからなる前記の側面吸気ファン７１が配置され、出口５４の内側には軸流ファンからなる前記の排気ファン７２が配置されている。中間筐体５２内では映像装置を構成する部品の一例としての板状部材５８ａ〜５８ｄが間隙６１ａ〜６１ｅを置いて配置され、この間隙６１ａ〜６１ｅがそれぞれの通風路６２ａ〜６２ｅを構成し、板状部材５８ａ〜５８ｄが通風路を区画する壁を構成する。板状部材５８ａ〜５８ｄは映像装置１を構成する部品のうち平板状または曲板状の形状をもつ部品であり、その部品としては例えば板状電池や基板があり、基板としては電極つきの基板、ソケットを支持する基板、マイクロレンズアレイを支持するアレイ基板などがある。複数の基板の大きさは必ずしも同一ではないので、大きさの異なる基板は適当に機能的に組み合わせて通風路６２ａ〜６２ｅに沿って配置して通風路６２ａ〜６２ｅを区画する。
【０００９】
発熱密度の高い高発熱密度素子６３に対しては個別の軸流ファンからなる個別ファン６４を設けて気流６８を生じさせる。
【００１０】
このように構成された映像装置の冷却機構においては、冷却風流は外装ケース１０の吸入口６５から流入し、その大部分は側面吸気ファン７１によって入口５３から中間筐体５２内に取り込まれる。冷却風流の残りの部分は外装ケース１０と中間筐体５２の間の間隙で構成される外側通風路６７を通して流れ、中間筐体５２の外面及び中間筐体５２に含まれない部品を冷却して排気口６６から流出する。
【００１１】
一方、中間筐体５２内に取り込まれた冷却風流は板状部材５８ａ〜５８ｂの間に形成された通風路６２ａ〜６２ｅを通り、そこに含まれる部品を冷却し、しかる後に排気ファン７２に駆動されて出口５４から流出し、外側の流通路５６からの冷却風流と合流して排気口６６から流出する。
【００１２】
この発明の冷却部の構造では、冷却通風流を駆動するのに風量が大きくて静圧の低い軸流ファンを使用するので、騒音の発生を低下させ、充分な風量を確保して、冷却の効率化を図り、また価格を低廉なものにすることができる。
【００１３】
しかも、この発明の冷却部の構造では板状部品、特に基板が機能的に配置されてダクトを構成するので、ダクトを構成するための専用の部材や構造を必要とせず、部品数を増加させることなしに、必要なダクトを構成することができ、気流を整流化させて冷却効率を高め、静音効果の大きい安価な冷却構造を得ることができる。尚本案件では説明の簡略化の為に冷却部の構造部材を基板に特定して説明したが当然機器内部に納められる部品は全てがその配置によって構造部材の対象となることは言うまでもない。
【００１４】
しかも、ファンを中間筐体５２の中にファン７１、７２を配置し、その結果、安価な軸流ファンを機器の中心部に配置することにより、音源であるファンを機器の外壁周辺から遠ざけることにより、静音設計と効率的冷却を安価に実現することができる。
【００１５】
【発明の効果】
本発明に係る映像装置の冷却部の構造は、映像機器を大型化することなしに、構造が簡単で、十分な風量を確保でき、効率的な冷却が可能となる。
【００１６】
【図面の簡単な説明】
【図１】
この発明の一実施例に係る冷却構造の平面説明図。
【図２】
この発明の一実施例に係る冷却構造の縦断面説明図。
【図３】
従来の一実施例に係る冷却構造の縦断面説明図。
【符号の説明】
１              映像装置
２              画像投射装置
４              ランプ
５              照明光
６              レンズ
７              レンズ
８              偏光変換素子
９              放物面反射鏡
１０            外装ケース
１１            第１レンズアレイ
１２            ミラー
１３            第２レンズアレイ
１４            ダイクロイックミラー
１５            赤色光
１６            緑及び青色光
１７            ミラー
１８            赤色系液晶パネル
２１            ダイクロイックミラー
２２            緑色光
２３            青色光
２４            緑色系液晶パネル
２５            ミラー
２６            ミラー
２７            青色系液晶パネル
２８            Ｒ透過光
３１            Ｇ透過光
３２            Ｂ透過光
３３            クロスダイクロイックプリズム
３４            出射光
３５            投射レンズ
３６            スクリーン
５１            冷却構造
５２            中間筐体
５３            入口
５４            出口
５５            間隙
５６            通風路
５８ａ〜５８ｄ  板状部材
６１ａ〜６２ｅ  間隙
６２ａ〜６２ｅ  通風路
６３            高発熱密度素子
６４            個別ファン
６５            吸入口
６６            排気口
６７            外側通風路
７１            側面吸気ファン
７１ａ          側面吸気風流
７１ｂ          風流
７１ｃ          風流
７２            排気ファン
７３            ルーバー
７４            前面吸気ファン
７４ｂ          風流
８１            ランプ点灯用バラスト
８２            インレット
８３            駆動用制御回路ユニット
８４            各種コネクターユニット
８５            電源ユニット
１０１          冷却機構
１０２          シロッコファン
１０３          通風
１０４          ダクト
１０５          ランプ
１０６          ライトバルブ